【手続補正書】
【提出日】平成28年6月30日(2016.6.30)
【手続補正１】
【補正対象書類名】特許請求の範囲
【補正対象項目名】全文
【補正方法】変更
【補正の内容】
【特許請求の範囲】
【請求項１】
動画像を構成する画像を複数の階層で階層符号化する画像符号化装置であって、
前記画像から、第１の画像と、前記第１の画像とは階層が異なる第２の画像とを生成する生成手段と、
第１の画像において設定される第１の領域であって、前記第１の画像内の前記第１の領域以外の他の領域の画像を参照せずに符号化される前記第１の領域が設定される場合において、前記第２の画像を参照画像として用いて前記第１の領域の画像を符号化する場合、前記第２の画像における、前記第１の領域と対応する領域である第２の領域の画像を参照画像として用いて前記第１の領域の画像を符号化する符号化手段と
を有することを特徴とする画像符号化装置。
【請求項２】
前記第１の領域及び前記第２の領域はタイルである
ことを特徴とする請求項１に記載の画像符号化装置。
【請求項３】
前記第１の領域及び前記第２の領域は独立して処理することが可能なタイルである
ことを特徴とする請求項２に記載の画像符号化装置。
【請求項４】
前記第１の領域が前記第１の画像内に設定される場合、前記第１の領域が前記第１の画像内に存在することを示す情報と、前記第１の領域の位置に関する情報とのうち少なくともいずれかを含むヘッダ情報を生成するヘッダ情報生成手段
を有することを特徴とする請求項１〜３のいずれか１項に記載の画像符号化装置。
【請求項５】
前記ヘッダ情報生成手段は、前記ヘッダ情報をシーケンス単位で生成する
ことを特徴とする請求項４に記載の画像符号化装置。
【請求項６】
前記第１の領域が前記第１の画像内存在する場合に、前記第１の領域に関する情報と、前記符号化手段によって前記第１の画像及び前記第２の画像を符号化して生成された符号化データとを出力する出力手段
を有することを特徴とする請求項１〜５のいずれか１項に記載の画像符号化装置。
【請求項７】
前記生成手段は、前記第１の画像を縮小することで前記第２の画像を生成する
ことを特徴とする請求項１〜６のいずれか１項に記載の画像符号化装置。
【請求項８】
前記符号化手段によって画像を符号化して生成される符号化データを用いて復号画像を再生する局所復号手段と、
前記復号画像の拡大を行う拡大手段と
を有することを特徴とする請求項１〜７のいずれか１項に記載の画像符号化装置。
【請求項９】
前記第１の画像と前記第２の画像とは、解像度又は画質が互いに異なる
ことを特徴とする請求項１〜８のいずれか１項に記載の画像符号化装置。
【請求項１０】
前記第２の画像は、前記第１の画像よりも解像度が低い又は画質が低い画像である
ことを特徴とする請求項１〜９のいずれか１項に記載の画像符号化装置。
【請求項１１】
前記第１の画像は拡張レイヤであり、
前記第２の画像は基本レイヤである
ことを特徴とする請求項１〜１０のいずれか１項に記載の画像符号化装置。
【請求項１２】
前記符号化手段は、前記第１の領域が設定される場合であって、前記第２の画像を参照画像として用いて前記第１の領域の画像を符号化する場合、前記第２の画像における、前記第１の領域と対応する領域である第２の領域の画像のみを参照画像として用い、前記第２の画像における他の領域の画像を参照画像として用いずに前記第１の領域の画像を符号化する
ことを特徴とする請求項１〜１１のいずれか１項に記載の画像符号化装置。
【請求項１３】
動画像を構成する画像を複数の階層で階層符号化して生成された符号化データを復号する画像復号装置であって、
前記符号化データから第１の画像に対応する第１のデータと、前記第１の画像とは階層が異なる第２の画像に対応する第２のデータとを導出する導出手段と、
第１の画像において設定される第１の領域であって、前記第１の画像内の前記第１の領域以外の他の領域のデータを参照せずに復号される前記第１の領域が設定されている場合において、前記第２の画像を参照画像として用いて前記第１の領域のデータを復号する場合、前記第２の画像における、前記第１の領域と対応する領域である第２の領域のデータを参照画像として用いて前記第１の領域のデータを復号する復号手段と
を有することを特徴とする画像復号装置。
【請求項１４】
前記第１の領域及び前記第２の領域はタイルである
ことを特徴とする請求項１３に記載の画像復号装置。
【請求項１５】
前記第１の領域及び前記第２の領域は独立して処理することが可能なタイルである
ことを特徴とする請求項１４に記載の画像復号装置。
【請求項１６】
前記導出手段は、前記第１の領域が前記第１の画像内に存在することを示す情報と、前記第１の領域の位置に関する情報とのうち少なくともいずれかを、ヘッダ情報から導出する
ことを特徴とする請求項１３〜１５のいずれか１項に記載の画像復号装置。
【請求項１７】
前記ヘッダ情報は、前記符号化データにシーケンス単位で付与されている
ことを特徴とする請求項１６に記載の画像復号装置。
【請求項１８】
前記第２の画像は、前記第１の画像を縮小して生成された画像である
ことを特徴とする請求項１３〜１７のいずれか１項に記載の画像復号装置。
【請求項１９】
前記第１の画像と前記第２の画像とは、解像度又は画質が互いに異なる
ことを特徴とする請求項１３〜１８のいずれか１項に記載の画像復号装置。
【請求項２０】
前記第２の画像は、前記第１の画像よりも解像度が低い又は画質が低い画像である
ことを特徴とする請求項１３〜１９のいずれか１項に記載の画像復号装置。
【請求項２１】
前記第１の画像は拡張レイヤであり、
前記第２の画像は基本レイヤである
ことを特徴とする請求項１３〜２０のいずれか１項に記載の画像復号装置。
【請求項２２】
前記復号手段は、前記第１の領域が前記第１の画像内に設定されている場合であって、前記第２の画像を参照画像として用いて前記第１の領域のデータを復号する場合、前記第２の画像における、前記第１の領域と対応する領域である第２の領域のデータのみを参照画像として用い、前記第２の画像における他の領域のデータを参照画像として用いずに前記第１の領域を復号する
ことを特徴とする請求項１３〜２１のいずれか１項に記載の画像復号装置。
【請求項２３】
動画像を構成する画像を複数の階層で階層符号化する画像符号化方法であって、
前記画像から、第１の画像と、前記第１の画像とは階層が異なる第２の画像とを生成する生成工程と、
第１の画像において設定される第１の領域であって、前記第１の画像内の前記第１の領域以外の他の領域の画像を参照せずに符号化される前記第１の領域が設定される場合において、前記第２の画像を参照画像として用いて前記第１の領域の画像を符号化する場合、前記第２の画像における、前記第１の領域と対応する領域である第２の領域の画像を参照画像として用いて前記第１の領域の画像を符号化する符号化工程と
を有することを特徴とする画像符号化方法。
【請求項２４】
動画像を構成する画像を複数の階層で階層符号化して生成された符号化データを復号する画像復号方法であって、
前記符号化データから第１の画像に対応する第１のデータと、前記第１の画像とは階層が異なる第２の画像に対応する第２のデータとを導出する導出工程と、
第１の画像において設定される第１の領域であって、前記第１の画像内の前記第１の領域以外の他の領域のデータを参照せずに復号される前記第１の領域が設定されている場合において、前記第２の画像を参照画像として用いて前記第１の領域のデータを復号する場合、前記第２の画像における、前記第１の領域と対応する領域である第２の領域のデータを参照画像として用いて前記第１の領域のデータを復号する復号工程と
を有することを特徴とする画像復号方法。
【請求項２５】
請求項１〜１２のいずれか１項に記載の画像符号化装置の各手段としてコンピュータを機能させることを特徴とするプログラム。
【請求項２６】
請求項１３〜２２のいずれか１項に記載の画像復号装置の各手段としてコンピュータを機能させることを特徴とするプログラム。
【手続補正２】
【補正対象書類名】明細書
【補正対象項目名】００１５
【補正方法】変更
【補正の内容】
【００１５】
本発明の画像符号化装置は、例えば、下記の構成を有する。すなわち、動画像を構成する画像を複数の階層で階層符号化する画像符号化装置であって、前記画像から、第１の画像と、前記第１の画像とは階層が異なる第２の画像とを生成する生成手段と、第１の画像において設定される第１の領域であって、前記第１の画像内の前記第１の領域以外の他の領域の画像を参照せずに符号化される前記第１の領域が設定される場合において、前記第２の画像を参照画像として用いて前記第１の領域の画像を符号化する場合、前記第２の画像における、前記第１の領域と対応する領域である第２の領域の画像を参照画像として用いて前記第１の領域の画像を符号化する符号化手段とを有す。
【手続補正３】
【補正対象書類名】明細書
【補正対象項目名】００１６
【補正方法】変更
【補正の内容】
【００１６】
本発明の画像符号化装置は、例えば、下記の構成を有する。すなわち、  動画像を構成する画像を複数の階層で階層符号化して生成された符号化データを復号する画像復号装置であって、前記符号化データから第１の画像に対応する第１のデータと、第１の画像において設定される第１の領域であって、前記第１の画像内の前記第１の領域以外の他の領域のデータを参照せずに復号される前記第１の領域が設定されている場合において、前記第２の画像を参照画像として用いて前記第１の領域のデータを復号する場合、前記第２の画像における、前記第１の領域と対応する領域である第２の領域のデータを参照画像として用いて前記第１の領域のデータを復号する復号手段とを有する。